(57)【要約】【課題】  使用されたテープの全長を測定できると共に、テープの無駄使いを避けることの出来、構造が簡単で、操作が容易且つ製造コストの安いテープディスペンサーを提供すること。【解決手段】  テープディスペンサー本体の底面に開設した表示窓の中に長さ測定器を収納し、且つ長さ測定器の側辺に駆動部品を設ける。テープディスペンサー本体の前縁にカッターを結合し、カッターの後方両側にそれぞれ位置決めプレートを形成し、片方の位置決めプレートにテープをセットできるテープ回転軸を結合する。更に両位置決めプレート間に設けた駆動ロールの片方に伝動部品を結合させ、伝動部品が長さ測定器の駆動部品と噛合して伝動することによって、長さ測定器の計数を開始させる。一方、両位置決めプレートの上端にそれぞれリテーニングスロットを設け、両端に回転軸を備えた可動ローラーの回転軸をそれぞれ両方のリテーニングスロットに嵌めこみ、更に両位置決めプレートの後端にカバープレートを枢設する。【選択図】  図２
0003109697.tif 000002
【実用新案登録請求の範囲】
【請求項１】
テープディスペンサー本体と、前記本体底面の適当な個所に結合された長さ測定器と、前記測定器の上にあってテープディスペンサー本体から露出された表示窓と、前記測定器の側辺に連結された駆動部品と、カッターの後方両側にそれぞれ形成された位置決めプレートと、片方の位置決めプレートに連結されたテープ回転軸と、両位置決めプレートの間に枢接された駆動ロールと、前記駆動ロールの側辺に結合された伝動部品と、前記両位置決めプレートの上端にそれぞれ開設されたリテーニング、スロットと、両端にそれぞれ回転軸を備えた可動ローラーと、を含み、
前記駆動ロールの伝動部品は、長さ測定器の駆動部品を回転させて計数を行い、
前記可動ローラーは、その両端の回転軸によってそれぞれ前記両リテーニング、スロットに嵌めこまれ、
可動ローラーと駆動ロールとを相互に当接させることを特徴とするテープディスペンサー。
【請求項２】
前記伝動部品は、ギヤ、スウィング部品又はその他の伝動手段であることを特徴とする請求項１に記載のテープディスペンサー。
【請求項３】
前記駆動部品は、センサースイッチ又はその他の触発器であることを特徴とする請求項１に記載のテープディスペンサー。
【考案の詳細な説明】
【技術分野】
【０００１】
本考案は、テープディスペンサ−に関し、特にテープディスペンサーの上に結合された長さ測定器の計数特性によってテープの使用量を表示できるテープディスペンサ−に関するものである。
【背景技術】
【０００２】
現在、テープは広く各方面に応用されている。例えば、一般家庭、スーパーマーケット、工場などで、物品を紙箱で包装するときにテープによって封をしたり、或いは物品を一時的にテープで固定しておく等の用途に使われる。そして、テープは特にスーパーマーケットで最もよく使われ、その使用量はかなり膨大なものである。しかし、テープのみによって紙箱を封じたり、或いはその他の物品を貼り付けることは、包装作業や貼付作業にとって非常に不便である。すなわち使用する前に、先ずテープの始端を探し出して鋏で切断し、使用後はテープの始端をテープに張り付け、再度使用するときにはもう一度テープの始端を探し出さなければならず、時間の無駄であり非常に不便である。
【０００３】
そこで、いくつかの従来型のテープディスペンサーが開発された、例えば、携帯用テープディスペンサー・卓上型テープディスペンサー等である。
【０００４】
携帯用テープディスペンサーを例にとれば、図１に示すように、主として、テープディスペンサー本体１と、前記テープディスペンサー本体１の前端に結合されたノコギリ状のカッター１１と、カッター１１の後方両端に設けられた固定プレート１２と、その片方の固定プレート１２に結合され、テープ２をセットするためのテープ回転軸１３と、更に二枚の固定プレート１２の間に設けられた回転ローラー１４及び回転ローラー１４上方両側の伝動ロール１５と、二枚の固定プレート１２の後方部に枢接されたカバープレート１６とからなる。ユーザーがテープ２を使って貼り付けるときは、先ずテープ２をテープディスペンサー本体１のテープ回転軸１３にセットした後、テープ２の端を引っ張り出して回転ローラー１４及び伝動ロール１５の間を通り抜けさせ、更にテープ２の端を引っ張り出して貼り付けるべき対象物件６の上に貼り、必要な長さまで引っ張り出した所でテープ２上方のカッター１１で切断する。
【０００５】
この方式の操作は便利ではあるが、悪徳業者が製造過程でテープ２の長さを縮減する可能性がある、大量に使用するものにとっては、テープ２を購入するとき、そのテープ２の使用できる長さを標記してあっても、業者が製造過程で手抜きして材料をごまかされる可能性がある。
これを防止するため、本考案者はテープ２の使用長さを測定できるテープディスペンサーを研究開発し、テープディスペンサー本来の機能のほかに、消費者が同じ金額を払いながら、一般正常な寸法より短いテープ２を買わされることを避けることもできる二重の機能をもたせた。
このように、従来のテープディスペンサーには多の欠点があり、よりよい設計とは言い難く、改良が待たれていた。
【考案の開示】
【考案が解決しようとする課題】
【０００６】
本考案の目的は、前記テープディスペンサーの上の長さ測定器に備わる計数機能を利用し、使用されたテープの全長を測定できると共に、業者がテープの長さを手抜きして材料をごまかしてテープの長さが本来あるべき長さより短くなることを避けることのできるテープディスペンサーを提供することにある。
【０００７】
本考案のもう一つの目的は、テープディスペンサーの上に設置した表示窓によってテープを使用した長さの合計を表示すると共に、前記長さ測定器によって計数する方式で、所定の貼り付け長さによって一定の長さのテープを引っ張り出し、テープの無駄使いを避けることの出来るテープディスペンサーを提供することにある。
【０００８】
本考案のもう一つ別の目的は、構造が簡単で、操作が容易且つ製造コストの安いテープディスペンサーを提供することにある。
【課題を解決するための手段】
【０００９】
上述した目的を達成するため本考案に係るテープディスペンサーは、テープディスペンサー本体、カッター、二枚の位置決めプレート、駆動ロール、可動ローラー、カバープレート及び長さ測定器からなり、前記テープディスペンサー本体底面の適当な個所に、表示窓を開設して長さ測定器を収納し、且つ長さ測定器の側にギヤを設置する。更にテープディスペンサー本体の前方先端にカッターを結合させ、前記カッターの後方両側にそれぞれ位置決めプレートを設け、且つ前記片方の位置決めプレートにテープをセットするためのテープ回転軸を結合させる。又、両側位置決めプレート間に、駆動ロールを設け、更に駆動ロールの側に長さ測定器の駆動部品と噛合って伝動することによって、長さ測定器の計数を駆動させる伝動部品を結合する。二枚の位置決めプレート上端にそれぞれリテーニングスロットを開設し、更に両端に回転軸を備えた可動ローラーの回転軸によってそれぞれ二つのリテーニングスロットに嵌めこみ、更に二枚の位置決めプレートの後端にカバープレートを枢接する。
【００１０】
上記した構成によれば、前記テープディスペンサー本体上の長さ測定器が備える計数の特性を利用して、業者が手抜きして材料をごまかすことを避けることが出来ると共に、前記テープディスペンサー本体に開設された表示窓によって使用されたテープの長さを表示することが出来る。消費者が同じ金額を払って一般正常なテープより少ない量のテープを買わされることを避けることが出来、大量にテープを使用する必要のある者にとっては、安心して正規のテープを購入して使用することが出来る。
【考案の効果】
【００１１】
本考案が提供するテープディスペンサ−は下記のような長所がある。
＜１＞本考案は、テープディスペンサー上の長さ測定器に備わる計数特性によって、使用されたテープの長さ合計を測定できると共に、業者がテープの全長を手抜きして材料をごまかすことを避けることもできる。
＜２＞本考案は、テープディスペンサーの表示窓によって使用されたテープの全長を表示すると共に、長さ測定器の計数方式によって、必要な長さだけのテープを引っ張り出し、テープの無駄遣いを避けることができる。
＜３＞本考案は、製品構造が簡単で操作が容易、且つ低コストで生産できる。
【考案を実施するための最良の形態】
【００１２】
図２〜図４は、本考案に係るテープディスペンサーであり、主として、底面の適当な個所に表示窓３１を開設したテープディスペンサー本体３と、テープディスペンサー本体３の前縁に結合されたノコギリ状カッター３２と、カッター３２の後方両側にそれぞれ結合された位置決めプレート３３、３４と、両位置決めプレート３３、３４後端に枢接されたカバープレート３５と、片方の位置決めプレート３３に連結されたテープ回転軸３６と、二枚の位置決めプレート３３、３４の間に枢接された駆動ロール３７と、前記駆動ロール37の側に結合された伝動部品３７１と、又、二枚の位置決めプレート３３、３４上端にほぼＬ字形をなして開設されたリテーニングスロット３３１、３４１と、側辺に駆動部品４１を連結した長さ測定器４と、前記長さ測定器４の下方に位置する表示窓４２と、両端にそれぞれ回転軸５１を備えた可動ローラー５と、を含む。
【００１３】
前記テープ回転軸３６は、テープ２をセットでき、前記伝動部品３７１は、ギヤ、スウィング部品又はその他の伝動できる伝導手段であってよい。
前記駆動部品４１は、駆動ロール３７の伝動部品３６１と相互に噛合って回転することによって、前記長さ測定器４に計数機能を付与する。
前記長さ測定器４は、テープディスペンサー本体３の表示窓３１の中に嵌合される。前記駆動部品４１は、センサースイッチ又はその他の触発器であってよい。
前記可動ローラー５は、その上にある二つの回転軸５１によってそれぞれ両リテーニングスロット３３１、３４１の中に嵌めこまれ、前記可動ローラー５と駆動ロール３７とが相互に当接するようになっている。
上述の各構成部品を組み立てることによって、本考案テープディスペンサーを形成する。
【００１４】
図５Ａ、５Ｂは、前記テープディスペンサーの操作を示す略図であり、先ずテープ２をテープディスペンサー本体１のテープ回転軸の３３１にセットし、テープ２の貼り付け端部２１を駆動ロール３７の上方まで引っ張り出し、次に可動ローラー５の両回転軸５１をそれぞれリテーニングスロット３３１、３４１の中に嵌めこむことによって、テープ２の貼り付け端部２１を駆動ロール３７及び可動ローラー５の間に介在させる。この時、テープ２の貼り付け端部２１を物件６に貼り付けてから本体１を後ろへ向かって引っ張ると、テープ２がその勢いで物件６の上に貼り付けられると共に、両方の駆動ロール及び可動ローラーを回転させる。そして、駆動ロール３７の伝動部品３６１が長さ測定器４の駆動部品４１と同調して回転する、この時、前記長さ測定器４が計数測定を開始する。
【００１５】
尚、図６は前記テープディスペンサーのもう一つの実施例図であり、前記駆動ロール３７の駆動部品３７１は可動ローラー５の側辺に結合されてもよく、且つ長さ測定器４の駆動部品４１と可動ローラー５の伝動部品３６１が相互に噛合って伝動することによって、前記長さ測定器４が計数を開始し、同様に測定する機能を持たせることが出来る。
【００１６】
又、図７は、前記テープディスペンサーのもう一つの実施例部分略図であり、前記長さ測定器４の駆動部品４１はセンサースイッチ又はその他の触発器であってもよく、そして前記駆動ロール３７の伝動部品３７１もスウィング部品又はその他伝動できる手段であってもよい。仮に駆動ロール３７の伝動部品３７１（スウィング部品）の一回転の長さが５センチとすれば、テープが長さ測定器の駆動部品（センサースイッチ）を通過するとき、駆動部品（センサースイッチ）が伝動部品（スウィング部品）に感応する、これはテープの引き出される長さが５センチであることを意味し、この方式によって、同様にテープの使われた長さを測定する目的を達成できる。
【００１７】
又、図８は、前記テープディスペンサーの又もう一つ別の実施例図であり、前記テープディスペンサーは、卓上型テープディスペンサー７に応用することも出来、同様に可動ローラー７１と駆動ロール７２の相互駆動方式によって、前記可動ローラー７１の伝動部品７１１と補助部品７３を相互に噛合わせて伝動させ、そして前記補助部品７３が同調して長さ測定器７４の駆動部品７４１を回転させることによって、前記長さ測定器を回転させ且つ計数を開始すると共に、長さ測定器の表示窓７４２によってテープ２の使用済み長さを知ることが出来る。
【００１８】
上述の方式によって、ユーザーは、前記テープディスペンサー本体３に備わるテープ２の使用済み長さを計数出来る特性を利用して、業者がテープ２の製造過程で、手抜きして材料をごまかすことを防ぎ、テープ２の大量使用者にとっては、業者に騙されることがなくなる、しかも前記テープディスペンサー本体３に開設された表示窓によって、使用済みのテープ２の全長を知ることが出来る。
【００１９】
上記した説明は本考案の実施可能な一実施例の具体的な説明であるが、これらの実施例は本考案の請求範囲を制限するものではなく、凡そ本考案の技術思想を逸脱しない同等の効果又は変更はすべて本考案の請求範囲に含まれるものとする。
【図面の簡単な説明】
【００２０】
【図１】従来のテープディスペンサーの絵画図である。
【図２】本考案に係るテープディスペンサーの絵画分解図である。
【図３】テープディスペンサーの底面略図である。
【図４】テープディスペンサーの絵画結合図である。
【図５Ａ】テープディスペンサーの操作略図である。
【図５Ｂ】テープディスペンサーの操作略図である。
【図６】テープディスペンサーののもう一つの実施例図である。
【図７】テープディスペンサーのもう一つ別の実施例図である。
【図８】テープディスペンサーの又もう一つ別の実施例図である。
【符号の説明】
【００２１】
１・・・・テープディスペンサー本体
１１・・・カッター
１２・・・固定プレート
１３・・・位置決め軸
１４・・・回転ローラー
１５・・・伝動ロール
１６・・・カバープレート
２・・・・テープ
３・・・・テープディスペンサー本体
３１・・・表示窓
３２・・・カッター
３３・・・位置決めプレート
３３１・・リテーニングスロット
３４・・・位置決めプレート
３４１・・リテーニングスロット
３５・・・カバープレート
３６・・・テープ回転軸
３７・・・駆動ロール
３７１・・伝動部品
５・・・・可動ローラー
５１・・・回転軸
６・・・・物件
７・・・・テープディスペンサー本体
７１・・・可動ローラー
７１１・・伝動部品
７２・・・駆動ロール
７３・・・補助部品
７４・・・長さ測定器
７４１・・駆動部品
７４２・・表示窓
【図１】
0003109697.tif 000003
【図２】
0003109697.tif 000004
【図３】
0003109697.tif 000005
【図４】
0003109697.tif 000006
【図５Ａ】
0003109697.tif 000007
【図５Ｂ】
0003109697.tif 000008
【図６】
0003109697.tif 000009
【図７】
0003109697.tif 000010
【図８】
0003109697.tif 000011